(57)【要約】【課題】  設定確認画面の表示により、設定ミスを抑止する画像処理装置およびその表示制御方法および表示制御プログラムを提供する。【解決手段】  スタートボタン押下に際して、実行ジョブに係わる機能設定値の確認が行われていない場合には、ジョブ中止部１０２でジョブを中止して、表示制御部１００が表示操作部１０に設定確認画面を表示する。該画面によって設定確認が行われると、スタートボタン再押下とともに、ジョブ実行部１０３によってジョブが実行される。【選択図】  図２
2006084539.tif 000002
【特許請求の範囲】
【請求項１】
ユーザによる開始要求操作に基づき所定のジョブを実行する画像処理装置において、
前記開始要求操作を検出する検出手段と、
前記検出手段による前記開始要求操作の検出に対応して前記ジョブに係わる機能の設定確認画面を表示器に表示する表示制御手段と
を具備することを特徴とする画像処理装置。
【請求項２】
前記表示制御手段は、
前記ジョブに係わる機能が前記表示器に表示されていない場合に前記処理の実行を中止して前記設定確認画面を前記表示器に表示する
ことを特徴とする請求項１記載の画像処理装置。
【請求項３】
前記ジョブに係わる機能をリセット操作若しくは所定時間の経過により自動的に初期状態に戻す初期化手段
を更に具備し、
前記表示制御手段は、
前記初期化手段により前記ジョブに係わる機能が初期状態に戻されていない場合に前記設定確認画面を前記表示器に表示する
ことを特徴とする請求項１または２記載の画像処理装置。
【請求項４】
現在の装置の初期値を記憶する第１の記憶手段と、
変更前の装置の初期値を記憶する第２の記憶手段と、
前記第１の記憶手段に記憶された現在の装置の初期値と前記第２の記憶手段に記憶された変更前の装置の初期値とを比較する比較手段と
を更に具備し、
前記表示制御手段は、
前記比較手段の比較結果に基づき前記第１の記憶手段に記憶された現在の装置の初期値と前記第２の記憶手段に記憶された変更前の装置の初期値とが異なる場合は前記設定確認画面を前記表示器に表示する
ことを特徴とする請求項１記載の画像処理装置。
【請求項５】
前記第１の記憶手段および前記第２の記憶装置は、
各ユーザに対応して現在の装置の初期値と変更前の装置の初期値とをそれぞれ記憶し、
前記比較手段は、
前記第１の記憶手段に記憶された現在の装置の初期値と前記第２の記憶手段に記憶された変更前の装置の初期値とを各ユーザ毎に比較し、
前記表示制御手段は、
前記比較手段の比較結果に基づき前記第１の記憶手段に記憶された現在の装置の初期値と前記第２の記憶手段に記憶された変更前の装置の初期値とが異なる場合は、各ユーザに対応して前記設定確認画面を前記表示器に表示する
ことを特徴とする請求項４記載の画像処理装置。
【請求項６】
前記設定確認画面の表示とともに、該設定確認画面に対応する報知を行う報知手段
を更に具備することを特徴とする請求項１乃至５いずれかに記載の画像処理装置。
【請求項７】
ユーザによる開始要求操作に基づき所定のジョブを実行する画像処理装置の表示制御方法において、
前記開始要求操作を検出手段で検出し、
前記検出手段による前記開始要求操作の検出に対応して前記ジョブに係わる機能が前記表示器に表示されていない場合に、前記処理の実行を中止して前記設定確認画面を前記表示器に表示制御手段で表示する
ことを特徴とする表示制御方法。
【請求項８】
ユーザによる開始要求操作に基づき所定のジョブを実行する画像処理装置の処理をコンピュータに実行させる表示制御プログラムであって、
前記開始要求操作を検出する検出ステップと、
前記検出ステップによる前記開始要求操作の検出に対応して前記ジョブに係わる機能が前記表示器に表示されていない場合に、前記処理の実行を中止して前記設定確認画面を前記表示器に表示する表示制御ステップと
を含むことを特徴とする表示制御プログラム。
【発明の詳細な説明】
【技術分野】
【０００１】
本発明は、ユーザによる開始要求操作に基づき所定のジョブを実行する画像処理装置およびその表示制御方法および表示制御プログラムに関わり、詳しくは、ジョブ実行に際して、該ジョブに係わる機能設定値の確認が行われていない場合には、設定確認画面を表示するようにした画像処理装置およびその表示制御方法および表示制御プログラムに関する。
【背景技術】
【０００２】
従来、複写機や複合機などの画像処理装置では、ジョブの設定値に関する初期値やマシンの構成情報を保持している。
【０００３】
通常、ジョブの設定値に関する初期値は、機械管理者等により設定および変更されるものであるが、この他、オプション装置の追加や使用する用紙の紙質変更および装置の故障などによって初期値が変更されることもある。
【０００４】
さて、ユーザが画像処理装置を使用する場合には、上述したジョブの設定値を、使用目的によって初期値を元に所望の値に設定変更し、ジョブを実行する。
【０００５】
そのため、オフィスなどで画像処理装置を不特定多数で共有して使用する場合には、本人以外のユーザがジョブの設定値を設定変更しているにもかかわらず、それに気付かずジョブを実行してしまうことで、ミスコピー等の操作ミスが多々起こっている。
【０００６】
この種の問題に対処したものとして、特許文献１記載の「画像処理装置」が開示されている。
【０００７】
この特許文献１の発明は、ミスコピーの発生を防止するため、コピー条件が初期値から変更設定されている場合には、その旨を使用者に報知するいう技術について言及されている。
【特許文献１】特開２００３−２８０４６３号
【発明の開示】
【発明が解決しようとする課題】
【０００８】
しかしながら、上記特許文献１の発明は、現在設定されている設定値が初期値と異なる場合に、ユーザに報知するというものであるため、例えば、ユーザが機能設定確認画面等で設定確認を行っているにもかかわらず、無条件に報知処理が行われることとなり煩わしいものであった。
【０００９】
また、初期値自体が設定変更された場合には、報知機能は働かずユーザによるミスコピーが発生してしまうという問題があった。
【００１０】
そこで、本発明は上記問題点に鑑みてなされたものであり、ジョブ実行に際して、該ジョブに係わる機能設定値の確認が行われていない場合には、設定確認画面を表示することで、設定ミスを抑止する画像処理装置およびその表示制御方法および表示制御プログラムを提供することを目的とする。
【課題を解決するための手段】
【００１１】
上記目的を達成するため、請求項１の発明は、ユーザによる開始要求操作に基づき所定のジョブを実行する画像処理装置において、前記開始要求操作を検出する検出手段と、前記検出手段による前記開始要求操作の検出に対応して前記ジョブに係わる機能の設定確認画面を表示器に表示する表示制御手段とを具備することを特徴とする。
【００１２】
また、請求項２の発明は、請求項１の発明において、前記表示制御手段は、前記ジョブに係わる機能が前記表示器に表示されていない場合に前記処理の実行を中止して前記設定確認画面を前記表示器に表示することを特徴とする。
【００１３】
また、請求項３の発明は、請求項１または２の発明において、前記ジョブに係わる機能をリセット操作若しくは所定時間の経過により自動的に初期状態に戻す初期化手段を更に具備し、前記表示制御手段は、前記初期化手段により前記ジョブに係わる機能が初期状態に戻されていない場合に前記設定確認画面を前記表示器に表示することを特徴とする。
【００１４】
また、請求項４の発明は、請求項１の発明において、現在の装置の初期値を記憶する第１の記憶手段と、変更前の装置の初期値を記憶する第２の記憶手段と、前記第１の記憶手段に記憶された現在の装置の初期値と前記第２の記憶手段に記憶された変更前の装置の初期値とを比較する比較手段とを更に具備し、前記表示制御手段は、前記比較手段の比較結果に基づき前記第１の記憶手段に記憶された現在の装置の初期値と前記第２の記憶手段に記憶された変更前の装置の初期値とが異なる場合は前記設定確認画面を前記表示器に表示することを特徴とする。
【００１５】
また、請求項５の発明は、請求項４の発明において、前記第１の記憶手段および前記第２の記憶装置は、各ユーザに対応して現在の装置の初期値と変更前の装置の初期値とをそれぞれ記憶し、前記比較手段は、前記第１の記憶手段に記憶された現在の装置の初期値と前記第２の記憶手段に記憶された変更前の装置の初期値とを各ユーザ毎に比較し、前記表示制御手段は、前記比較手段の比較結果に基づき前記第１の記憶手段に記憶された現在の装置の初期値と前記第２の記憶手段に記憶された変更前の装置の初期値とが異なる場合は、各ユーザに対応して前記設定確認画面を前記表示器に表示することを特徴とする。
【００１６】
また、請求項６の発明は、請求項１乃至５の発明において、前記設定確認画面の表示とともに、該設定確認画面に対応する報知を行う報知手段を更に具備することを特徴とする。
【００１７】
また、請求項７の発明は、ユーザによる開始要求操作に基づき所定のジョブを実行する画像処理装置の表示制御方法において、前記開始要求操作を検出手段で検出し、前記検出手段による前記開始要求操作の検出に対応して前記ジョブに係わる機能が前記表示器に表示されていない場合に、前記処理の実行を中止して前記設定確認画面を前記表示器に表示制御手段で表示することを特徴とする。
【００１８】
また、請求項８の発明は、ユーザによる開始要求操作に基づき所定のジョブを実行する画像処理装置の処理をコンピュータに実行させる表示制御プログラムであって、前記開始要求操作を検出する検出ステップと、前記検出ステップによる前記開始要求操作の検出に対応して前記ジョブに係わる機能が前記表示器に表示されていない場合に、前記処理の実行を中止して前記設定確認画面を前記表示器に表示する表示制御ステップとを含むことを特徴とする。
【発明の効果】
【００１９】
本発明によれば、ユーザによる開始要求操作（スタートボタン押下）を検出し、該検出とともに、実行ジョブに係わる機能設定値が表示器に表示されていない場合には、ジョブを中止して、設定確認画面を表示するように構成したため、設定ミス若しくは、設定変更がなされたことに気付かずジョブを開始してしまうといった操作ミスを抑止することができる。
【００２０】
また、装置構成の変更若しくは、機械管理者の操作によって初期値が変更された場合であっても、変更前の初期値を記憶しておくため、変更前と現在の初期値を比較し、該比較結果が異なる場合は、設定確認画面に表示するように構成したため、初期値が変更されたことに気付かずジョブを開始してしまうといった操作ミスを抑止することができる。
【発明を実施するための最良の形態】
【００２１】
以下、本発明に係わる画像処理装置およびその表示制御方法および表示制御プログラムの実施例について添付図面を参照して詳細に説明する。
【００２２】
まず、本実施の形態で用いる主な用語の意味について定義する。本実施の形態で用いる「ジョブに係わる機能」とは、ジョブの実行にあたって関係する機能設定値で、かつ変更されたものをいう。例えば、コピージョブを実行するにあたって、両面／片面や白黒／カラー設定を変更し実行した場合には、両面／片面および白黒／カラー設定がジョブに係わる機能に該当する。一方、コピージョブを実行するにあたって、短縮ダイヤル情報やメールアドレス情報などのファックスジョブに関する機能設定値が変更されたとしても、コピージョブには関係ないため、ジョブに係わる機能には該当しない。
【００２３】
図１は、本発明に係わる画像処理装置を適用した複合機１のシステム構成を示す図である。なお、本発明の機能が実行されるのであれば、単体の機器であっても、複数の機器からなるシステムであっても、ＬＡＮ（Local Area Network），ＷＡＮ（Wide Area Network）等のネットワークを介して接続が為され処理が行われるシステムであっても本発明を適用できる。
【００２４】
図１において、複合機１は大きく分けて、オペレーションパネル等のユーザインターフェースである表示操作部１０と、複合機１の統括制御を行うコントローラ部２０と、該コントローラ部２０の指示に基づいて画像入出力処理を行うエンジン部３０とを具備して構成される。
【００２５】
表示操作部１０は、先に述べた通り、装置本体に備わるオペレーションパネルであり、具体的には、タッチパネルや操作ボタンなどの入力用デバイスと、ＬＥＤ（Light Emitting Diode）、ＬＣＤ（Liquid Crystal Display）などの表示用デバイスを具えたユーザインターフェースである。この画面上に設定確認画面を表示することで、ユーザに設定確認させることができる。
【００２６】
また、入力用デバイスとして配設されるボタンの１つにスタートボタンがあり、このスタートボタンの押下とともに、ジョブが実行されることとなる。
【００２７】
コントローラ部２０は、上述した表示操作部１０とデータ授受を行うパネルＩ／Ｆ（Interface）２１と、後述するシステムメモリ２３等に展開されたプログラムに従って、各部の動作制御および管理を行うメインＣＰＵ（Central Processing Unit）２２と、プログラムの実行等を行う際の作業領域であるシステムメモリ２３と、電話回線やネットワークなどを介して他装置との通信を行うためのインターフェース装置である通信部２４と、画像イメージを一時保存するための画像メモリ２５と、後述する画像入力部３１と入力画像イメージ等のデータ授受を行う入力部Ｉ／Ｆ（Interface）２６と、後述する画像出力部３２と出力画像イメージ等のデータ授受を行う出力部Ｉ／Ｆ（Interface）２７と、データの書き込み／読み込みが行える記憶部２８と、ユーザ認証機構である認証部２９とを具備して構成される。
【００２８】
エンジン部３０は、用紙などに形成された画像データを読み込むスキャナ装置等の画像入力部３１と、用紙などに画像データを形成するプリンタ装置等の画像出力部３１とを具備して構成される。この構成において、スタートボタンの押下とともに設定確認画面を表示するといった本発明に係わる表示制御処理はメインＣＰＵ２２において行われる。
【００２９】
以上が本発明に係わる複合機１のシステム構成図の説明である。なお、同図には図示しないが、この他、複合機１には、複合機１の各構成要素に対する電力供給を制御する電源制御部などが適宜設けられている。
【実施例１】
【００３０】
ここで、図１に示すようなシステム構成を有する複合機１における第１の実施例について説明する。
【００３１】
図２は、実施例１に係わるメインＣＰＵ２２の機能的な構成の一部を示す機能ブロック図である。なお、ここでは、本発明に係わる構成要素のみを挙げて説明する。
【００３２】
図２において、メインＣＰＵ２２は、各種処理機能部として、表示制御部１００と、初期化処理部１０１と、ジョブ中止部１０２と、ジョブ実行部１０３と、報知処理部１０４とを具備して構成される。
【００３３】
表示制御部１００は、上記図１で説明した表示操作部１０の表示用デバイスに機能設定確認画面を表示して、ユーザに設定確認を促す処理部である。具体的には、ジョブ実行に際して、機能設定確認画面若しくは、ジョブに係わる機能の設定値が表示されていない場合には、表示用デバイスに機能設定確認画面を表示するように制御する。
【００３４】
初期化処理部１０１は、ユーザによって初期値を元に変更された機能設定値を初期状態に戻す処理部である。初期状態に戻すタイミングは、タイマーなどによって所定時間経過した後に、自動的に機能設定値を初期状態に戻す。
【００３５】
この初期化処理部１０１による初期化処理が行われていない場合や、初期化処理部１０１による初期化処理を禁止するように設定されている場合には、前ユーザにより機能設定値が変更されたままになっていることがある。そういった場合にも、上述した表示制御部１００は、ユーザに設定確認を促すために機能設定確認画面を表示することとなる。
【００３６】
ジョブ中止部１０２は、後述するジョブ実行部１０３で実行されるジョブを中止する処理部である。具体的には、ジョブ実行に際して、表示用デバイスに機能設定確認画面若しくは、ジョブに係わる機能の設定値が表示されていない場合に、ジョブの実行を中止する。
【００３７】
ジョブ実行部１０３は、入力用デバイスに配設されるスタートボタンの押下とともに、現在設定されている機能設定値を記憶部２８より取得し、取得した機能設定値に基づいてジョブの実行を行う処理部である。この際、ジョブを開始する旨を表示制御部１００に通知する。
【００３８】
報知処理部１０４は、上述した表示制御部１００により機能設定確認画面が表示されるとともに、ＬＥＤを点滅させるなどしてその旨をユーザに報知する。なお、複合機１にスピーカーが備わっている場合には、アラームの鳴動や音声メッセージなどにより報知するようにしてもよい。以上がメインＣＰＵ２２の機能的な構成の一部を示す各機能ブロックの説明である。
【００３９】
次に、表示操作部１０に表示される設定確認画面（機能設定確認画面）について、図３を参照しながら説明する。なお、機能設定確認画面は、スタートボタン押下とともに表示されユーザに機能設定確認を促す画面である。
【００４０】
同図には、機能設定確認画面の画面レイアウトの一例として、２通りの画面（ａ）および（ｂ）が示されている。
【００４１】
まず、（ａ）に示される機能設定確認画面は、用紙選択、倍率選択、画質、両面・片面選択などの設定項目に対応して、現在の設定値が表示されている。この場合、ジョブ実行に際して、該ジョブに係わる機能の設定値のみが表示されている。また、画面内右下には、確定／変更ボタン２０２が配設されており、ユーザの意図とは反する値が設定されている機能の設定値を適宜変更することができる。
【００４２】
続いて、（ｂ）に示される機能設定確認画面は、（ａ）で説明した画面に、メッセージエリア２０４と部数変更ボタン２０３とを加えて構成したものである。
【００４３】
メッセージエリア２０４には、「印刷部数が１２部に設定されています。よろしければスタートを、変更される場合は部数変更ボタンを押下してください。」旨のメッセージを表示し、ユーザに部数の確認を促す。
【００４４】
このメッセージを参照して、部数変更を所望する場合は、部数変更ボタン２０３を押下して適正な部数を入力することとなる。例えば、前ユーザの部数設定が残っている場合などに、必要部数以上の設定がなされていることがあり、その場合、このメッセージにより誤った部数を印刷するといった操作ミスを抑止することができる。
【００４５】
なお、図３に示した機能設定確認画面においては、ジョブに係わる機能のみを表示する場合を説明したが、これに限られず、例えば、複合機１でコピー処理を行う場合には、コピー機能に関する全ての機能設定値項目を機能設定確認画面に表示するようにしてもよい。
【００４６】
図４は、図１に示した複合機１における表示制御処理の動作を説明するフローチャートである。
【００４７】
図４において、この表示制御処理は、複合機１の給紙トレイなどに読み取り原稿がセットされた状態で、スタートボタンの押下が行われると開始される（ステップＳ１０１でＹＥＳ）。
【００４８】
この表示制御処理が開始されると、まず、表示操作部１０の表示用デバイスに機能設定確認画面が表示されているか否かの判断を行う（ステップＳ１０２）。具体的には、スタートボタン押下とともに、ジョブ実行部１０３が表示制御部１００にジョブを開始する旨の通知を行う。この通知を受けた表示制御部１００が、表示用デバイスに機能設定確認画面が表示されているか否かを判断する。
【００４９】
ここで、機能設定確認画面が表示されていると判断された場合は（ステップＳ１０２でＹＥＳ）、ジョブ実行部１０３によってジョブが実行され（ステップＳ１０３）、この表示制御処理を終了するが一方、機能設定確認画面が表示されていないと判断された場合は（ステップＳ１０２でＮＯ）、実行ジョブに係わる機能設定値が表示されているか否かを判断する（ステップＳ１０４）。例えば、ジョブ実行に際して、該ジョブに係わる機能がＮｕｐ設定であるならば、図５に示すようなＮｕｐ機能設定画面が表示されている状態で、スタートボタンが押下された場合、実行ジョブに係わる機能設定値が表示されていると判断されることとなる。
【００５０】
この判断処理によって、実行ジョブに係わる機能設定値が表示されていると判断された場合は（ステップＳ１０４でＹＥＳ）、ジョブ実行部１０３によってジョブが実行され（ステップＳ１０３）、この表示制御処理を終了するが一方、実行ジョブに係わる機能設定値が表示されていないと判断された場合は（ステップＳ１０４でＮＯ）、ジョブ中止部１０２がジョブの実行を中止するとともに、表示制御部１００が表示操作部１０に機能設定確認画面を表示する（ステップＳ１０６）。この画面表示とともに、報知処理部１０４でＬＥＤの点滅若しくはアラームの鳴動や音声メッセージを出力し、ユーザに報知してもよい。
【００５１】
機能設定確認画面が表示されると、ユーザは該画面から機能設定値を確認する。その結果、変更する機能設定値がない場合は（ステップＳ１０７でＮＯ）、ステップＳ１０１へ戻り、再びスタートボタンを押下することとなるが、機能設定値を確認した結果、変更する機能設定値がある場合は（ステップＳ１０７でＹＥＳ）、上記図３で説明した機能設定確認画面の確定／変更ボタン２０２を押下して機能設定値を所望の値に変更後（ステップＳ１０８）、ステップＳ１０１へ戻り、再びスタートボタンを押下することとなる。
【００５２】
以上説明したように本発明においては、ユーザによるスタートボタン押下を検出し、該検出とともに、機能設定確認画面若しくは、実行ジョブに係わる機能設定値が表示操作部１０に表示されているか否かを判断し、表示されていないと判断した場合は、ジョブ実行を中止して、機能設定確認画面を表示するように構成したため、設定ミス若しくは、設定変更がなされたことに気付かずジョブを開始してしまうといった操作ミスを抑止することができる。
【実施例２】
【００５３】
次に、図１に示すようなシステム構成を有する複合機１における第２の実施例について説明する。
【００５４】
実施例２においては、上記実施例１で説明した表示制御処理に加えて、機能設定に関する初期値が変更された場合にも、設定確認画面を表示するように構成した実施形態を説明する。
【００５５】
図６は、実施例２に係わるメインＣＰＵ２２の機能的な構成の一部を示す機能ブロック図である。なお、上記実施例１を説明した図２と同一の符号が付してあるものは略同様に動作する。
【００５６】
図６において、メインＣＰＵ２２は、上記実施例１の構成に加えて、初期値比較部１０５と、前回初期値記憶処理部１０６と、現在初期値記憶処理部１０７とを具備して構成される。
【００５７】
初期値比較部１０５は、前回初期値記憶処理部１０６が記憶部２８に記憶した前回初期値と、現在初期値記憶処理部１０７が記憶部２８に記憶した現在の初期値とを比較する処理部であり、前回までと現在とで初期値が異なる場合には、表示制御部１００にその旨を通知する。この通知を受けた表示制御部１００は、初期値設定確認画面を表示して、ユーザに機能設定確認を促すこととなる。
【００５８】
この初期値比較部１０５にて初期値が変更されているか否かを判断するタイミングは、スタートボタン押下時点でもよいし、カスタマエンジニアモードや管理者モードなどで初期値変更がなされ該モードを抜けた時点でもよいし、電源がオン／オフされた時点でもよい。この他、オプション装置の構成変更時やメカ故障時などでもよい。
【００５９】
前回初期値記憶処理部１０６は、変更前の初期値を記憶部２８に記憶し管理する。具体的には、上述した初期値比較部１０５にて比較処理を行う際には、記憶部２８より前回までの初期値を取得し、比較処理終了後でかつ、初期値比較部１０５にて初期値の変更があると判断された場合には、現在の初期値を前回の初期値として記憶部２８に記憶する処理部である。
【００６０】
現在初期値記憶処理部１０７は、現在の初期値を取得し、該取得した初期値を記憶部２８に記憶し管理する処理部である。以上が実施例２に係わるメインＣＰＵ２２の機能的な構成の一部を示す各機能ブロックの説明である。
【００６１】
次に、表示操作部１０に表示される設定確認画面（初期値設定確認画面）について、図７を参照しながら説明する。
【００６２】
同図には、初期値設定確認画面の画面レイアウトの一例として、２通りの画面（ａ）および（ｂ）が示されている。なお、ここでは、複合機１がコピー機能で動作している場合を説明する。
【００６３】
まず、（ａ）に示される初期値設定確認画面は、用紙選択、倍率選択、原稿の種類、両面・片面選択などの設定項目に対応して、現在の設定値と変更日時が表示されている。すなわち、前回の初期値と異なる設定項目のみを列挙して画面表示している。
【００６４】
一方、（ｂ）に示される初期値設定確認画面は、用紙選択、倍率選択、コピー濃度、原稿の画質、両面・片面選択、仕分け・・・などの設定項目に対応して、現在の設定値が表示されている。この場合、複合機１がコピー機能で動作しているため、コピー機能に関する初期値項目を表示しており、前回の初期値と変更がなされている初期値項目だけでなく、コピー機能に関する初期値設定項目が全て表示されている。
【００６５】
また、上述した（ａ）および（ｂ）に示す初期値設定確認画面内右下には、確定／変更ボタン２０６が配設されており、ユーザの意図とは反する値が設定されている機能の初期値を適宜変更することができる。
【００６６】
図８および図９は、実施例２に係わる複合機１における表示制御処理の動作を説明するフローチャートである。
【００６７】
図８において、この表示制御処理は、詳細は後述するが、オプション装置構成の変更や管理者等によって初期値変更処理が行われ（ステップＳ２０１）、スタートボタンの押下が行われると開始される（ステップＳ２０２でＹＥＳ）。
【００６８】
この表示制御処理が開始されるとまず、現在初期値記憶処理部１０７が現在の初期値を取得し、該取得した初期値を記憶部２８に記憶する（ステップＳ２０３）。続いて、前回初期値記憶処理部１０６が、前回までの初期値を記憶部２８から読み出すと（ステップＳ２０４）、初期値比較部１０５は、上述したステップＳ２０３およびステップＳ２０４で取得した現在と前回までの初期値とを比較する（ステップＳ２０５）。
【００６９】
ここで、初期値比較部１０５の判断結果により現在と前回までの初期値とが同一であると判断された場合は（ステップＳ２０６でＮＯ）、ジョブ実行部１０３によってジョブが実行され（ステップＳ２１１）、この表示制御処理を終了するが一方、初期値比較部１０５の判断結果により現在と前回までの初期値とが異なると判断された場合は（ステップＳ２０６でＹＥＳ）、前回初期値記憶処理部１０６は、現在初期値記憶処理部１０７が取得した現在の初期値を記憶部２８へ記憶する（ステップＳ２０７）。すなわち、比較結果を受けて、現在と前回までの初期値が異なる場合、前回初期値記憶処理部１０６は、現在の初期値を前回の初期値として記憶部２８に記憶する。
【００７０】
続いて、表示制御部１００が表示操作部１０に初期値設定確認画面を表示する（ステップＳ２０８）。この画面表示とともに、報知処理部１０４でＬＥＤの点滅若しくはアラームの鳴動や音声メッセージを出力し、ユーザに報知してもよい。
【００７１】
初期値設定確認画面が表示されると、ユーザは該画面を参照して初期値が変更されている旨を認識し、変更された初期値のままジョブを実行するか否かを判断する（ステップＳ２０９）。ここで、そのままジョブを実行する場合は（ステップＳ２０９でＮＯ）、ステップＳ２０２へ戻り、再びスタートボタンを押下することとなるが、表示された初期値を変更する場合は（ステップＳ２０９でＹＥＳ）、上記図７で説明した初期値設定確認画面の確定／変更ボタン２０６を押下して機能設定値を所望の値に変更後（ステップＳ２１０）、ステップＳ２０１へ戻り、再びスタートボタンを押下することとなる。
【００７２】
ここで、図９を参照しながら、上記ステップＳ２０１の初期値変更処理の動作を説明する。
【００７３】
同図には、初期値変更処理の一例としてオプション装置構成変更に伴って初期値が変更される場合と（ａ）、機械管理者によって初期値が変更される場合（ｂ）の動作を説明するフローチャートが示されている。
【００７４】
まず、（ａ）のオプション装置変更処理について説明する。この処理が開始されるとまず、複合機１の電源をオフ状態にする（ステップＳ３０１）。オプション装置の着脱を行うために通常行われる処理である。
【００７５】
複合機１が電源オフ状態になると、ユーザによって所望するオプション装置の装着が行われる。若しくは、複合機１からオプション装置を取り外すなどして、オプション装置の構成変更が行われる（ステップＳ３０２）。
【００７６】
そして、オプション装置の構成変更処理が終了すると、複合機１の電源をオンにする（ステップＳ３０３）。電源オンとともに、複合機１は、オプション装置の構成情報などを取得し、オプション装置の構成変更のために初期値を変更させて（ステップＳ３０４）、この初期値変更処理を終了する。
【００７７】
上述したようなオプション装置の構成変更によって初期値が変更される場合には、例えば、両面原稿読取装置の着脱時などが挙げられる。複合機１にオプション装置として両面原稿読取装置が設置されている場合には、初期値として両面印刷が設定されるが、両面原稿読取装置を取り外した場合には、初期値として片面印刷が設定される。
【００７８】
次に、（ｂ）の機械管理者によって行われる初期値変更処理について説明する。この処理が開始されるとまず、通常ユーザが利用するモードから初期値変更操作が可能な管理者モードに移行する（ステップＳ４０１）。
【００７９】
管理者モードに移行すると、機械管理者が初期値の変更を行う（ステップＳ４０２）。例えば、デフォルト設定のコピー部数やＮｕｐ設定値、デフォルト給紙トレイなどの設定変更がなされる。
【００８０】
初期値の変更処理が完了すると、複合機１をリブートさせて通常モードで起動させる（ステップＳ４０３）。通常モードで起動された複合機１は、管理者モードで設定変更された初期値を現在の初期値として設定し（ステップＳ４０４）、この初期値変更処理を終了する。
【００８１】
以上説明したように実施例２においては、前回までの初期値を記憶し、現在の初期値と比較した結果、初期値が異なる場合には初期値設定確認画面を表示するように構成したため、初期値変更がなされたことに気付かずジョブを開始してしまうといった操作ミスを抑止することができる。
【００８２】
なお、上記実施例２においては、スタートボタン押下とともに、初期値設定確認画面を表示する場合を説明したが、これに限られず、人を検知した時点でもよい。この他、ログイン時や、管理者モードから通常モードへのモード切り替え時や、ジョブがメモリに展開された時点でもよい。
【実施例３】
【００８３】
次に、図１に示すようなシステム構成を有する複合機１における第３の実施例について説明する。
【００８４】
実施例３においては、上記実施例２で説明した表示制御処理に加えて、ユーザ認証を行うことで、ユーザ個々に対応して設定確認画面を表示するように構成した実施形態を説明する。なお、実施例３の機能的な構成は、上記実施例２と同一であるため、その構成についての説明は省略し、ここでは、動作についてのみ説明する。
【００８５】
図１０は、実施例３に係わる複合機１における表示制御処理の動作を説明するフローチャートである。
【００８６】
図１０において、この表示制御処理は、認証部２９においてユーザ認証が行われ（ステップＳ５０１）、スタートボタンの押下が行われると開始される（ステップＳ５０２でＹＥＳ）。上記ステップＳ５０１で行われるユーザ認証は、ユーザ識別情報を含むカードによりユーザ認証を行なってもよいし、ユーザ名およびパスワードを入力することでユーザ認証を行ってもよい。
【００８７】
ユーザ認証が行われると、現在初期値記憶処理部１０７が認証ユーザに対応する現在の初期値を取得し、該取得した初期値を記憶部２８に記憶する（ステップＳ５０３）。続いて、前回初期値記憶処理部１０６が、認証ユーザに対応する前回までの初期値を記憶部２８から読み出すと（ステップＳ５０４）、初期値比較部１０５は、上述したステップＳ５０３およびステップＳ５０４で取得した現在と前回までの初期値とを比較する（ステップＳ５０５）。
【００８８】
ここで、初期値比較部１０５の判断結果により現在と前回までの初期値とが同一であると判断された場合は（ステップＳ５０６でＮＯ）、ジョブ実行部１０３によってジョブが実行され（ステップＳ５１２）、この表示制御処理を終了するが一方、初期値比較部１０５の判断結果により現在と前回までの初期値とが異なると判断された場合は（ステップＳ５０６でＹＥＳ）、前回初期値記憶処理部１０６は、現在初期値記憶処理部１０７が取得した現在の初期値を記憶部２８へ記憶する（ステップＳ５０７）。すなわち、比較結果を受けて、現在と前回までの初期値が異なる場合、前回初期値記憶処理部１０６は、現在の初期値を前回の初期値として記憶部２８に記憶する。
【００８９】
続いて、表示制御部１００は、初期値設定確認画面を表示するか否かの判断を行う（ステップＳ５０８）。これは、予めユーザ毎に初期値変更を通知するか否かの設定が行われており、その設定情報に基づいて判断される。例えば、熟練ユーザにとっては、設定確認画面の表示が不要であり煩わしいといった場合があるため、熟練ユーザには表示を行わず、操作が不慣れなユーザには表示するように設定した場合、双方にとって有効なシステムとなる。
【００９０】
ここで、初期値設定確認画面を表示しないと判断された場合は（ステップＳ５０８でＮＯ）、ジョブ実行部１０３によってジョブが実行され（ステップＳ５１２）、この表示制御処理を終了するが一方、初期値設定確認画面を表示すると判断された場合は（ステップＳ５０８でＹＥＳ）、表示制御部１００が表示操作部１０に初期値設定確認画面を表示する（ステップＳ５０９）。この画面表示とともに、報知処理部１０４でＬＥＤの点滅若しくはアラームの鳴動や音声メッセージを出力し、ユーザに報知してもよい。
【００９１】
初期値設定確認画面が表示されると、ユーザは該画面を参照して初期値が変更されている旨を認識し、変更された初期値のままジョブを実行するか否かを判断する（ステップＳ５１０）。ここで、そのままジョブを実行する場合は（ステップＳ５１０でＮＯ）、ステップＳ５０２へ戻り、再びスタートボタンを押下することとなるが、表示された初期値を変更する場合は（ステップＳ５１０でＹＥＳ）、上記図７で説明した初期値設定確認画面の確定／変更ボタン２０６を押下して機能設定値を所望の値に変更後（ステップＳ５１０）、ステップＳ５０２へ戻り、再びスタートボタンを押下することとなる。
【００９２】
以上説明したように実施例３においては、ユーザ認証を行うことで、ユーザ個々に対応して現在と前回までの初期値を記憶し、初期値が変更されている場合には、各ユーザに対応した初期値設定確認画面を表示するように構成したため、さらに利便性が高まる。
【実施例４】
【００９３】
次に、図１に示すようなシステム構成を有する複合機１における第４の実施例について説明する。
【００９４】
実施例４においては、上記実施例２で説明した表示制御処理に加えて、短縮ダイヤル登録情報やメールアドレス帳情報などの初期値が変更された場合にも設定確認画面を表示するように構成した実施形態を説明する。なお、実施例４の機能的な構成および動作は、上記実施例２と略同様であるため、その説明は省略する。
【００９５】
図１１は、実施例４に係わる表示操作部１０に表示される設定確認画面（宛先設定確認画面）の一例を示す図である。なお、宛先設定確認画面は、スタートボタン押下とともに表示されユーザに宛先設定確認を促す画面である。
【００９６】
この宛先設定確認画面は、ダイヤル、短縮、グループ、メールなどの指定方法に対応して、宛先情報が表示されている。すなわち、前回の初期値とは異なる項目を画面表示している。なお、宛先情報に関する項目全てを表示するようにしてもよい。
【００９７】
これらの短縮ダイヤル登録情報やメールアドレス帳情報などは、通信部２４などを介したリモートからの変更も含めて、他の人でも自由に変更設定が行える。そのため、メールアドレス等が変更されたことに気付かず、誤送信してしまう可能性がある。
【００９８】
以上説明したように実施例４においては、短縮ダイヤル登録情報やメールアドレス帳情報などの不特定多数で共有する宛先情報の初期値が、現在と前回までとで異なる場合にも宛先設定確認画面を表示するように構成したため、誤送信の防止を図れる。
【００９９】
なお、上記実施例においては、本発明に係わる画像処理装置を複合機１に適用する場合を説明したが、この画像処理装置の表示制御方法を複合機１にインストールされた表示制御プログラムにより実行させるように構成してもよい。
【０１００】
また、本発明に係わる画像処理装置は、複合機に限らず、プリンタ、ファックス、コピー機などの画像処理装置全般に適用可能である。
【０１０１】
この他、本発明は、上記および図面に示す実施例に限定することなく、その要旨を変更しない範囲内で適宜変形して実施できるものである。例えば、実施例１乃至４を使って、本発明に係わる画像処理装置を適用した複合機１の表示制御処理を説明したが、この実施例１乃至４の実施形態を全て、あるいは一部を組み合わせて実施してもよい。
【産業上の利用可能性】
【０１０２】
本発明の画像処理装置およびその表示制御方法および表示制御プログラムは、プリンタ、ファックス、コピー機、複合機などの画像処理装置全般に適用可能であり、特に、設定ミス若しくは、設定変更がなされたことに気付かずジョブを開始してしまうといった操作ミスを抑止する場合に有効利用することができる。
【図面の簡単な説明】
【０１０３】
【図１】本発明に係わる画像処理装置を適用した複合機１のシステム構成を示す図である。
【図２】図１に示したメインＣＰＵ２２の機能的な構成の一部を示す機能ブロック図である。
【図３】表示操作部１０に表示される画面レイアウト（機能設定確認画面）の一例を示す図である。
【図４】図１に示した複合機１における表示制御処理の動作を説明するフローチャートである。
【図５】表示操作部１０に表示される画面レイアウト（機能設定画面）の一例を示す図である。
【図６】実施例２に係わるメインＣＰＵ２２の機能的な構成の一部を示す機能ブロック図である。
【図７】実施例２に係わる表示操作部１０に表示される画面レイアウト（初期値設定確認画面）の一例を示す図である。
【図８】実施例２に係わる複合機１における表示制御処理の動作を説明するフローチャートである。
【図９】実施例２に係わる初期値変更処理の動作の一例を説明する。
【図１０】実施例３に係わる複合機１における表示制御処理の動作を説明するフローチャートである。
【図１１】実施例４に係わる表示操作部１０に表示される画面レイアウト（宛先設定確認画面）の一例を示す図である。
【符号の説明】
【０１０４】
１    複合機
１０    ＵＩ画面
２０    コントローラ部
２１    パネルＩ／Ｆ（Interface）
２２    メインＣＰＵ（Central Processing Unit）
２３    システムメモリ
２４    通信部
２５    画像メモリ
２６    入力部Ｉ／Ｆ（Interface）
２７    出力部Ｉ／Ｆ（Interface）
２８    記憶部
２９    認証部
３０    エンジン部
３１    画像入力部
３２    画像出力部
１００    表示制御部
１０１    初期化処理部
１０２    ジョブ中止部
１０３    ジョブ実行部
１０４    報知処理部
１０５    初期値比較部
１０６    前回初期値記憶処理部
１０７    現在初期値記憶処理部
【図１】
2006084539.tif 000003
【図２】
2006084539.tif 000004
【図３】
2006084539.tif 000005
【図４】
2006084539.tif 000006
【図５】
2006084539.tif 000007
【図６】
2006084539.tif 000008
【図７】
2006084539.tif 000009
【図８】
2006084539.tif 000010
【図９】
2006084539.tif 000011
【図１０】
2006084539.tif 000012
【図１１】
2006084539.tif 000013